【手続補正書】
【提出日】平成20年5月20日(2008.5.20)
【手続補正１】
【補正対象書類名】明細書
【補正対象項目名】特許請求の範囲
【補正方法】変更
【補正の内容】
【特許請求の範囲】
【請求項１】 便器本体の上部後背部に取付けられ、便座暖房、あるいは、人体の局部に対して洗浄水を噴射するための機能部を内蔵したケーシングを有する装置において、便座および便蓋を同軸にて回動自在に支持する支持部を具備し、前記便座および便蓋を起立させたとき、便座の後背部部端縁および便蓋の後背部端縁を前記支持部にそれぞれ当接させ、便座および便蓋をケーシング側に所定角度以上傾倒しないように回動を規制したことを特徴とする便座装置。
【請求項２】 便器本体の上部後背部に取付けられ、便座暖房、あるいは人体の局部に対して洗浄水を噴射するための機能部を内蔵したケーシングを有する装置において、前記ケーシング前面の傾斜面両端部には、係合突起を上方に突設し、この係合突起には、下部に前記係合突起が遊嵌する凹穴を備えて、上部に便座および便蓋の後背部両端に設けたヒンジ部に取付けられて前記便座および便蓋の閉じ方向に抵抗力を付与するソフト閉止ユニットのヒンジ軸を回動不能に挿通支持したヒンジブロックを挿脱自在に取付け、このヒンジブロックに、前記便座の後背部端縁および便蓋の後背部端縁に形成した係止手段を、前記便座および便蓋を起立させたときそれぞれ当接させ、便座および便蓋が所定角度以上ケーシング側に傾倒しないよう回動を規制したことを特徴とする便座装置。
【請求項３】 前記便座および便蓋の後背部両端に形成したヒンジ部に取付けられて、前記便座および便蓋の閉じ方向に抵抗力を付与するソフト閉止ユニットのヒンジ軸突端と、前記ヒンジ軸に挿脱自在に嵌合するヒンジブロックの支持孔の開口端とに、それぞれ対応する位置において斜設部を形成するようにしたことを特徴とする請求項２記載の便座装置。
【請求項４】 便器本体の上部後背部に取付けられ、便座暖房、あるいは、人体の局部に対して洗浄水を噴射するための機能部を内蔵したケーシングを有する装置において、便座および便蓋を同軸にて回動自在に支持する支持部を具備し、この支持部に、便座および便蓋を起立させたとき前記便座の後背部端縁および便蓋の後背部端縁をそれぞれ当接させ、かつ、前記便座の先端には、前記支持部に便座起立時に加わる自立力を軽減する重りを具備させたことを特徴とする便座装置。
【請求項５】 前記便座起立時支持部に加わる自立力を軽減する重りは、便座と同質材料にて便座と一体的に形成、あるいは、単一の重り部材を便座先端に収容・固定して設けるようにしたことを特徴とする請求項４記載の便座装置。
【請求項６】 便器本体の上部後背部に取付けられ、便座暖房、あるいは、人体の局部に対して洗浄水を噴射するための機能部を内蔵したケーシングを有する装置において、便座および便蓋を同軸にて回動自在に支持する支持部を具備し、前記便座および便蓋を起立させたとき、便座の後背部端縁および便蓋の後背部端縁を前記支持部にそれぞれ当接させ、便座および便蓋をケーシング側に所定角度以上傾倒しないように回動を規制し、更に、前記便蓋の上部側面壁，表面壁の内側に、便蓋脚を取付ける便蓋脚取付孔部を複数形成し、前記複数の便蓋脚取付孔部を形成する区画壁と前記便蓋の側面壁，表面壁とが交差する境界壁面を、前記側面壁とほぼ同厚としたことを特徴とする便座装置。
【手続補正２】
【補正対象書類名】明細書
【補正対象項目名】０００９
【補正方法】変更
【補正の内容】
【０００９】
【課題を解決するための手段】本発明の請求項１記載の便座装置は、便器本体の上部後背部に取付けられ、便座暖房、あるいは、人体の局部に対して洗浄水を噴射するための機能部を内蔵したケーシングを有する装置において、便座および便蓋を同軸にて回動自在に支持する支持部を具備し、前記便座および便蓋を起立させたとき、便座の後背部端縁および便蓋の後背部端縁を前記支持部にそれぞれ当接させ、便座および便蓋をケーシング側に所定角度以上傾倒しないように回動を規制したことを特徴とする。
【手続補正３】
【補正対象書類名】明細書
【補正対象項目名】００１０
【補正方法】変更
【補正の内容】
【００１０】
本発明の請求項２記載の便座装置は、便器本体の上部後背部に取付けられ、便座暖房、あるいは人体の局部に対して洗浄水を噴射するための機能部を内蔵したケーシングを有する装置において、前記ケーシング前面の傾斜面両端部には、係合突起を上方に突設し、この係合突起には、下部に係合突起が遊嵌する凹穴を備えて、上部に便座および便蓋の後背部両端に設けたヒンジ部に取付けられて前記便座および便蓋の閉じ方向に抵抗力を付与するソフト閉止ユニットのヒンジ軸を回動不能に挿通支持したヒンジブロック挿脱自在に取付け、このヒンジブロックに、前記便座の後背部端縁および便蓋の後背部端縁に形成した係止手段を、前記便座および便蓋を起立させたときそれぞれ当接させ、便座および便蓋が所定角度以上ケーシング側に傾倒しないよう回動を規制したことを特徴とする。
【手続補正４】
【補正対象書類名】明細書
【補正対象項目名】００１１
【補正方法】変更
【補正の内容】
【００１１】
本発明の請求項３記載の便座装置は、請求項２記載の便座装置において、前記便座および便蓋の後背部両端に形成したヒンジ部に取付けられて、前記便座および便蓋の閉じ方向に抵抗力を付与するソフト閉止ユニットのヒンジ軸突端と、前記ヒンジ軸に挿脱自在に嵌合するヒンジブロックの支持孔の開口端とに、それぞれ対応する位置において斜設部を形成するようにしたことを特徴とする。
【手続補正５】
【補正対象書類名】明細書
【補正対象項目名】００１２
【補正方法】変更
【補正の内容】
【００１２】
本発明の請求項４記載の便座装置は、便器本体の上部後背部に取付けられ、便座暖房、あるいは、人体の局部に対して洗浄水を噴射するための機能部を内蔵したケーシングを有する装置において、便座および便蓋を同軸にて回動自在に支持する支持部を具備し、この支持部に、便座および便蓋を起立させたとき前記便座の後背部端縁および便蓋の後背部端縁をそれぞれ当接させ、かつ、前記便座の先端には、前記支持部に便座起立時に加わる自立力を軽減する重りを具備させたことを特徴とする。
【手続補正６】
【補正対象書類名】明細書
【補正対象項目名】００１４
【補正方法】変更
【補正の内容】
【００１４】
本発明の請求項６記載の便座装置は、便器本体の上部後背部に取付けられ、便座暖房、あるいは、人体の局部に対して洗浄水を噴射するための機能部を内蔵したケーシングを有する装置において、便座および便蓋を同軸にて回動自在に支持する支持部を具備し、前記便座および便蓋を起立させたとき、便座の後背部端縁および便蓋の後背部端縁を前記支持部にそれぞれ当接させ、便座および便蓋をケーシング側に所定角度以上傾倒しないように回動を規制し、更に、前記便蓋の上部方向に位置する側面壁，表面壁の内側に、便蓋脚を取付ける便蓋脚取付孔部を複数形成し、前記複数の便蓋脚取付孔部を形成する区画壁と前記便蓋の側面壁，表面壁とが交差する境界壁面を、前記側面壁等とほぼ同厚としたことを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
請求項１記載の発明においては、洗浄水を噴射させる機能部を内蔵したケーシングに、便座および便蓋を同軸により枢支する支持部を一対設け、便座および便蓋を起立させたとき、便座の後背部端縁および便蓋の後背部端縁が前記支持部にそれぞれ当接して、それ以上後退しないように構成したので、便座および便蓋を例えば、勢いよく起立させたときその反動により、便蓋の表面が前記ケーシングに衝接したり、洗浄水のロータンクと衝接する等して、損傷するという問題を確実に解消し、常に便蓋はその表面を美れいに保持することができる。
【手続補正９】
【補正対象書類名】明細書
【補正対象項目名】００１７
【補正方法】変更
【補正の内容】
【００１７】
請求項２記載の発明においては、ケーシング前面の傾斜面両端部に係合突起を上方に向けて突設し、この係合突起に便座および便蓋の後背部両端を枢支するソフト閉止ユニットのヒンジ軸を挿通支持したヒンジブロックを挿脱自在に嵌合し、前記便座の後背部端縁および便蓋の後背部端縁に形成した係止手段を前記ヒンジブロックの後背面に係止させることにより、便座および便蓋を所定の起立角度で係止可能に構成したので、便蓋の表面がケーシング等に衝接するのを良好に阻止できるとともに、便座および便蓋とケーシングとはヒンジブロックを利用して１動作で着脱することができるため、便座等の清掃作業が容易に行うことができる。
【手続補正１０】
【補正対象書類名】明細書
【補正対象項目名】００１８
【補正方法】変更
【補正の内容】
【００１８】
請求項３記載の発明においては、ソフト閉止ユニットのヒンジ軸とこのヒンジ軸を挿入支持するヒンジブロックの支持孔は、ともに斜設部を形成し、これら斜設部を利用してヒンジブロックを、ソフト閉止ユニットのヒンジ軸に便座および便蓋の後背部端面に形成した係止手段に妨げられることなく迅速・容易に、かつ、確実に取付けることができるので、これにより、便座の後背部端縁および便蓋の後背部端縁に係止手段が存在していても、ヒンジブロックとソフト閉止ユニットとの組立作業が円滑に行えるという利点がある。
【手続補正１１】
【補正対象書類名】明細書
【補正対象項目名】００２２
【補正方法】削除
【補正の内容】
【手続補正１２】
【補正対象書類名】明細書
【補正対象項目名】００５６
【補正方法】変更
【補正の内容】
【００５６】
【発明の効果】本発明は、以上説明したように構成されているので、次に示すような効果を有する。請求項１記載の発明には、洗浄水を噴射させる機能部を内蔵したケーシングの前面に、便座および便蓋を同軸にて枢支する支持部を一対設け、便座および便蓋を起立させたとき、便座の後背部端縁および便蓋の後背部端縁が前記支持部とそれぞれ当接して、それ以上後退しないように構成したので、便座等を例えば、勢いよく起立させたときに生じる反動により、便蓋の表面が前記ケーシングと衝接したり、洗浄水のタンクと衝突して損傷するという問題を確実に解消し、便蓋表面をつねに美れいに保持することができる。
【手続補正１３】
【補正対象書類名】明細書
【補正対象項目名】００５７
【補正方法】変更
【補正の内容】
【００５７】
請求項２記載の発明は、ケーシング前面の傾斜面両端部に係合突起を上方に突設し、この係合突起に便座および便蓋の後背部両端を枢支するソフト閉止ユニットのヒンジ軸を挿通支持したヒンジブロックを挿脱自在に嵌合し、前記便座の後背部端縁および便蓋の後背部端縁に形成した係止手段を前記ヒンジブロックの背面に係止させるように構成したので、便蓋の表面がその起立時ケーシングに衝接するのを良好に回避でき、かつ、便座および便蓋は水洗等に当りケーシングに対してヒンジブロックを利用して１動作で取り外すことができるため、便座等の清掃が容易に行うことができる。
【手続補正１４】
【補正対象書類名】明細書
【補正対象項目名】００５８
【補正方法】変更
【補正の内容】
【００５８】
請求項３記載の発明は、ソフト閉止ユニットのヒンジ軸とこのヒンジ軸を挿入支持するヒンジブロックの支持孔に、それぞれ対応する位置で斜設部を形成し、これら斜設部により、支持孔を利用してヒンジブロックをヒンジ軸に嵌合する際、便座の後背部端縁および便蓋の後背部端縁に形成した係止手段に邪魔されて、ヒンジブロックの支持孔が、ヒンジ軸に対して嵌合位置を少しずれていたとしても、嵌め合い関係に遊びが生じていることにより容易に嵌合することが可能となり、この結果、前記係止手段が存在していても、ヒンジブロックはそれに妨げられることなく迅速・容易に、かつ、確実にヒンジ軸に取付けることができるので、これにより、便座の後背部端縁および便蓋の後背部端縁に係止手段が存在していても、ヒンジブロックとソフト閉止ユニットとの組立作業が円滑に行えるという利点がある。
【手続補正１５】
【補正対象書類名】明細書
【補正対象項目名】００５９
【補正方法】変更
【補正の内容】
【００５９】
請求項４記載の発明は、便座の先端部に重りを具備させて構成するようにしたので、便座の起立後、前記重りの重量が便座および便蓋を枢支するソフト閉止ユニットの枢支部側に加わることになるため、前記ソフト閉止ユニットは、便座が倒伏方向に傾斜するのを抑制する抵抗部材の抵抗力軽減が前記重りの存在によって良好に行い得、これによりソフト閉止ユニットの自立力軽減化が容易に図れ、ソフト閉止ユニットは長期にわたり自立力を低下させることなく使用することが可能となる。
【手続補正１６】
【補正対象書類名】明細書
【補正対象項目名】００６２
【補正方法】削除
【補正の内容】